(57)【特許請求の範囲】
【請求項１】
第１及び第２入力チャネルを有する試験測定機器の測定ビューを同期させる方法であって、
上記試験測定機器の上記第１チャネルに関連した第１信号を受ける処理と、
上記試験測定機器の上記第２チャネルに関連した第２信号を受ける処理と、
波形測定ビュー及びベクトル測定ビューを含む測定ビューの形式のリストから上記第１チャネルに関連した上記第１信号の測定ビューの形式を選択する処理と、
ユーザ制御インタフェースを通して、選択された上記測定ビューのユーザ指定構成パラメータを受ける処理と、
選択された上記測定ビューの上記ユーザ指定構成パラメータを検出する処理と、
上記ユーザ制御インタフェースから同期化ビュー付勢優先権を受ける処理と、
上記同期化ビュー付勢優先権に応じて、上記第１信号の選択された上記測定ビューの検出された上記ユーザ指定構成パラメータを上記第２信号の上記測定ビューに割り当てる処理と、
上記同期化ビュー付勢優先権に応じて、上記第２信号の測定ビューを上記第１信号の選択された上記測定ビューに同期させる処理と
を具える試験測定機器の測定ビュー同期化方法。
【請求項２】
第１チャネルに関連した第１ビデオ信号を受ける第１入力端子と、
第２チャネルに関連した第２ビデオ信号を受ける第２入力端子と、
波形測定ビュー及びベクトル測定ビューを含む測定ビューの形式のリストから上記第１チャネルに関連した上記第１ビデオ信号の測定ビューの形式の選択入力を受け、同期化ビュー付勢優先権を設定し、選択された上記測定ビューのユーザ指定構成パラメータを受けるよう構成されたユーザ制御インタフェースと、
上記第１及び第２ビデオ信号に関する測定情報を提供する表示器と、
上記選択入力を受けて、上記第１ビデオ信号の選択された上記測定ビューの上記ユーザ指定構成パラメータを検出し、検出された上記ユーザ指定構成パラメータを上記第２信号の測定ビューに割り当て、上記第１ビデオ信号の選択された上記測定ビューに上記第２信号の上記測定ビューを同期させるよう構成される同期制御ユニットと
を具える試験測定機器。
【請求項３】
制御器及びユーザ制御インタフェースを有する表示器を含む試験測定機器と、
上記試験測定機器に複数のビデオ信号を提供して上記ビデオ信号の測定項目を上記試験測定機器に表示させるビデオ信号源とを具え、
上記ユーザ制御インタフェースは、測定ビューのユーザ指定構成パラメータを受けるよう構成され、
上記制御器は、表示される複数の上記ビデオ信号の間で、波形測定ビュー、ベクトル測定ビュー、ピクチャ測定ビュー、ガマット測定ビュー、状態及びセッション測定ビュー、データリスト測定ビュー又はアイ及びジッタ測定ビューと上記ユーザ指定構成パラメータを同期させ、上記ビデオ信号のそれぞれに関連するカーソルを同様に移動させ、所定期間にわたり上記同期を維持するように構成された試験測定システム。
【発明の詳細な説明】
【技術分野】
【０００１】
本発明は、同期された測定ビューを提供する試験測定機器及びその方法に関する。
【背景技術】
【０００２】
試験測定機器は、電気信号の品質を分析する基本である。係る機器により、種々の産業界では、新製品を開発及び試験でき、品質管理を維持でき、高価値の製品及びサービスを提供できる。コンピュータ、エレクトロニクス、ビデオ、エンターテイメント及び工業生産などの産業界は、電気信号を効果的に試験し分析する能力に大いに依存している。
【０００３】
例えば、ビデオ制作及び放送業界において、ビデオ信号分析及び比較は、高品位ビデオの好結果の配信にとって基本的なことである。複数のカメラがしばしば必要であり、ビデオ記録段階用にルミナンス及びクロミナンスを同じレベルでこれらカメラを調整することは困難である。スタジオにおいて、ビデオ・プロデューサは、ビデオを編集した後に、所定の時点及び位置にて特定の変化が生じたことを確認する必要がある。放送局は、ビデオ配信及び実時間処理のために一定の品質及び特性を維持しなければならない。装置及び配信の修理には、異なる入力、出力及び伝送点からのビデオを比較することも必要である。
【０００４】
従来は、異なるビデオ信号源に接続された複数のビデオ波形モニタを用いて、ビデオ信号の比較を実行する。代わりに、フロント・エンドの入力信号スイッチと共に、１つの波形モニタを用いることもできる。操作者は、典型的には、１つの特定の測定表示に対して波形モニタを設定し、複数の波形モニタでの視覚的な比較を行うか、同時には１つの出力を表示して比較する。テクトロニクス社製ＷＦＭ７０００／６０００型及びＷＶＲ７０００／６０００型モニタの如き波形モニタは、予め固定した、即ち捕捉したトレースと、ライブ信号との間でのビデオ比較をサポートする。
【先行技術文献】
【特許文献】
【０００５】
【特許文献１】特開２００１−２８９８７９号公報
【発明の概要】
【発明が解決しようとする課題】
【０００６】
しかし、ビデオ信号の従来の比較法に関連した固有の欠点、困難さ及び不信頼性がある。同一の設定の同じ測定表示を有する複数のビデオ波形モニタを構成することは、非常に時間がかかりエラーを受けやすい。これは、測定表示が、フィルタ、コンポーネントの選択、利得設定などを含む多くのパラメータの設定を非常に頻繁に必要とするためである。更に、以前に捕捉した表示とライブ測定表示とを比較することも好ましくなく、混乱又はエラーを生じ、信頼できない。かかるアプローチは、ビデオ信号のダイナミック特性をやむを得ずに損なう。
【課題を解決するための手段】
【０００７】
本発明の概念は、次の通りである。
（１）第１及び第２入力チャネルを有する試験測定機器の測定ビューを同期させる方法であって；  上記試験測定機器の上記第１チャネルに関連した第１信号を受け；上記試験測定機器の上記第２チャネルに関連した第２信号を受け；上記第１チャネルに関連した上記第１信号の測定ビューを選択し；ユーザ制御インタフェースから同期化ビュー付勢優先権を受け；上記第１信号の測定ビューを第２信号に同期させる試験測定機器の測定ビュー同期化方法。
（２）上記第１及び第２信号がビデオ信号を含み、上記試験測定機器が波形モニタである概念１の方法。
（３）更に、ユーザ制御インタフェースを介して入力を受け、上記第１チャネルに関連した上記第１信号の１つ以上の構成パラメータを調整し；上記１つ以上の構成パラメータを、上記第２チャネルに関連した上記第２信号に再現する概念１の方法。
（４）１つ以上の構成パラメータを調整するために上記ユーザ制御インタフェースを介して受けた引き続く追加の入力が上記第１及び第２チャネルの間で再現し、上記第１及び第２信号の上記１つ以上の構成パラメータ及び上記測定ビューの同期を維持する概念３の方法。
（５）上記第１信号が第１フォーマットのビデオ信号を含み；上記第２信号が第２フォーマットのビデオ信号を含み；上記測定ビューの同期化により上記第１信号の１つ以上の構成パラメータ及び上記測定ビューを上記第２信号に再現する概念３の方法。
（６）上記第１及び第２フォーマットのいずれかが、標準分解能（ＳＤ）フォーマット、高分解能（ＨＤ）フォーマット、３Ｇｂフォーマット、デジタル・シネマ・フォーマット及びグラフィック・フォーマットの少なくとも１つを含む概念５の方法。
（７）１つ以上の構成パラメータの再現が、上記第１フォーマットのビデオ信号及び上記第２フォーマットのビデオ信号の間の百分率差に基づいて上記構成パラメータを調整することを含む概念５の方法。
（８）上記第１信号が３次元ビデオ信号の第１コンポーネントを含み；上記第２信号が上記３次元ビデオ信号の第２コンポーネントを含み；上記測定ビューを同期させることは、上記３次元ビデオ信号の上記第１コンポーネントの１つ以上の構成パラメータ及び上記測定ビューを上記３次元ビデオ信号の上記第２コンポーネントに更に再現する概念３の方法。
（９）更に、ユーザ制御インタフェースからの同期化ビュー減勢優先権及び上記同期化ビュー付勢優先権の少なくとも１つを受け；上記測定ビューを同期させることは、上記同期化ビュー付勢優先権及び上記同期化ビュー減勢優先権の少なくとも１つに基づいて上記第１信号の上記測定ビューを上記第２信号に再現する概念１の方法。
（１０）上記測定ビューが第１測定ビューを含み；上記方法は、更に、上記試験測定機器の表示の第１タイルに上記第１測定ビューにより上記第１信号を表示し；上記試験測定機器の表示の第２タイルに第２測定ビューにより上記第２信号を表示し；ユーザ制御インタフェースから上記同期化ビュー付勢優先権を受けた後に、上記第２タイル内の上記第２測定ビューを、上記同期化ビュー付勢優先権に応答する上記第１測定ビューと交換する概念１の方法。
（１１）上記第１及び第２タイルの一方を拡大して、上記タイルが上記表示で一杯となる一方、上記タイルの間の上記測定ビューの同期を維持する概念１０の方法。
（１２）上記測定ビューが第１測定ビューであり；上記方法は、更に、上記試験測定機器の表示の第１タイル内に上記第１測定ビューにより上記第１信号を表示し；上記試験測定機器の表示の第２タイル内に第２測定ビューにより上記第２信号を表示し；上記試験測定機器の表示の第３タイル内に第３測定ビューにより上記第１信号を表示し；上記試験測定機器の表示の第４タイル内に第４測定ビューにより上記第２信号を表示し；ユーザ制御インタフェースからの上記同期化ビュー付勢優先権を受けた後に、上記同期化ビュー付勢優先権に応答して上記表示の上記第２タイル内の上記第２信号に上記第１測定ビューを再現することにより上記表示の上記第１及び第２タイルを同期させ、上記同期化ビュー付勢優先権に応答して上記表示の上記第４タイル内の上記第２信号に上記第３測定ビューを再現することにより上記表示の上記第３及び第４タイルを同期させる概念１の方法。
（１３）上記試験測定機器が第１試験測定機器であり；上記方法は、更に、第２試験測定機器の第１チャネルに関連した被試験第３信号を受け；上記第２試験測定機器の第２チャネルに関連した被試験第４信号を受け；上記第２試験測定機器の上記第１及び第２チャネルに夫々関連する上記第３及び第４信号の少なくとも一方に上記測定ビューを同期させる概念１の方法。
（１４）更に、上記試験測定機器の４つ以上のチャネルに夫々関連した４つ以上の被試験信号を受け；少なくとも１つの信号の測定ビューを少なくとも他の信号に同期させる概念１の方法。
（１５）第１チャネルに関連した第１ビデオ信号を受ける第１入力端子と；第２チャネルに関連した第２ビデオ信号を受ける第２入力端子と；入力を受けるように構成されたユーザ制御インタフェースと；上記第１及び第２ビデオ信号に関する測定情報を提供する表示器と；上記入力に夫々応答して上記第１及び第２チャネルの上記第１及び第２ビデオ信号の間で測定ビューを同期させる同期制御ユニットとを具えた試験測定機器。
（１６）上記表示器が少なくとも２つのタイルに視覚的に分割され；各タイルが上記チャネルの１つに関連した上記ビデオ信号の１つを夫々表示するように構成され；上記同期制御ユニットが少なくとも２つのタイルの間で測定ビューを同期させるように構成された概念１５の試験測定機器。
（１７）３つ以上のチャネルに夫々関連した３つ以上のビデオ信号を受ける３つ以上の入力端子を更に具え；上記同期制御ユニットは、上記入力に応答する上記３つ以上のビデオ信号の間で上記測定ビューを同期させるように構成された概念１６の試験測定機器。
（１８）上記ユーザ制御インタフェースを介して受けた上記入力が同期化ビュー付勢優先権を含み；上記同期化ビュー付勢優先権に応答して少なくとも２つのタイルの間で上記測定ビューを同期させるように上記同期制御ユニットが構成された概念１６の試験測定機器。
（１９）上記第１及び第２チャネルの両方に対して所定期間にわたってデータの同期累積をさせるように上記同期制御ユニットが構成された概念１６の試験測定機器。
（２０）上記ユーザ制御インタフェースを介して受けた上記入力が１つ以上の構成パラメータを含み；上記表示器の少なくとも２つのタイルの間で上記１つ以上の構成パラメータを再現するように上記同期制御ユニットが構成された概念１６の試験測定機器。
（２１）上記測定ビューが波形表示モードであり；上記１つ以上の構成パラメータが、波形位置、表示スタイル、フィルタ・パラメータ、ライン選択、掃引パラメータ、利得パラメータ、電圧カーソル及び時間カーソルの少なくとも１つを含み；上記表示の少なくとも２つのタイルの間で上記波形表示及び上記１つ以上の構成パラメータを同期させるように上記同期制御ユニットが構成された概念２０の試験測定機器。
（２２）上記測定ビューがベクトル表示モードであり；上記１つ以上の構成パラメータが、ライン選択、利得パラメータ、表示スタイル及びベクトル位置制御の少なくとも１つを含み；上記表示の少なくとも２つのタイルの間で上記ベクトル表示モード及び上記１つ以上の構成パラメータを同期させるように上記同期制御ユニットが構成された概念２０の試験測定機器。
（２３）上記測定ビューがピクチャ表示モードであり；上記１つ以上の構成パラメータが、字幕表示パラメータ及び目盛りパラメータの少なくとも一方を含み；上記表示の少なくとも２つのタイルの間で上記ピクセル表示モード及び上記１つ以上の構成パラメータを同期させるように上記同期制御ユニットが構成された概念２０の試験測定機器。
（２４）上記目盛りパラメータが安全領域パラメータを含む概念２３の試験測定機器。
（２５）上記測定ビューは、アロウヘッド、ダイヤモンド、スプリット・ダイヤモンド及びスピアヘッドの少なくとも１つを含むガマット表示ビューであり；上記１つ以上の構成パラメータが少なくとも１つのしきい値を含み；上記表示の少なくとも２つのタイルの間で上記ガマット表示モード及び上記１つ以上の構成パラメータを同期させるように上記同期制御ユニットが構成された概念２０の試験測定機器。
（２６）上記測定ビューは、エラー・ログ、アラーム状態、ビデオ・セッション、オーディオ・セッション、オーディオ制御、チャネル状態、補助データ状態、シリアル・デジタル・インタフェース（ＳＤＩ）状態及び補助データ表示の少なくとも１つを有するテキスト情報を含む状態及びセッション表示ビューであり；上記１つ以上の構成パラメータは、開始制御、ポーズ制御、停止制御、リセット制御及びページ選択の少なくとも１つを含み；上記表示の少なくとも２つのタイルの間で上記状態及びセッション表示モード及び上記１つ以上の構成パラメータを同期させるように上記同期制御ユニットが構成された概念２０の試験測定機器。
（２７）上記測定ビューは、上記第１及び第２ビデオ信号のデジタル内容を記述した文字数字データを含むデータリスト表示ビューであり；上記１つ以上の構成パラメータは、ライン選択、サンプル選択及びズーム制御の少なくとも１つを含み；上記表示の少なくとも２つのタイルの間で上記データリスト表示モード及び上記１つ以上の構成パラメータを同期させるように上記同期制御ユニットが構成された概念２０の試験測定機器。
（２８）上記測定ビューは、上記第１及び第２ビデオ信号の少なくとも一方の伝送の電圧又はジッタ対時間のプロットを含むアイ及びジッタ表示ビューであり；上記１つ以上の構成パラメータは、利得パラメータ、掃引パラメータ、位置、電圧カーソル及び時間カーソルの少なくとも１つを含み；上記表示の少なくとも２つのタイルの間で上記アイ及びジッタ表示モード及び上記１つ以上の構成パラメータを同期させるように上記同期制御ユニットが構成された概念２０の試験測定機器。
（２９）制御器及び表示器を含む試験測定機器と；上記試験測定機器にビデオ信号を提供して上記ビデオ信号の測定外観を表示するビデオ信号源とを具え；上記制御器は、測定ビューと表示される上記ビデオ信号との間での１つ以上の構成パラメータを同期させ、所定期間にわたる同期を維持するように構成されたシステム。
（３０）上記試験測定機器が第１試験測定機器であり；制御器及び表示器を含む第２試験測定機器を更に具え；上記第１及び第２試験測定機器の各々が同期入力及び同期出力を含む概念２９のシステム。
（３１）上記第１試験測定機器の上記同期出力から上記第２試験測定機器の上記同期入力に伝送された同期信号を用いて、上記第１試験測定機器及び上記第２試験測定機器の間で、上記測定ビュー及び上記１つ以上の構成パラメータを同期させるように上記第１試験測定機器の制御器が構成された概念３０のシステム。
（３２）各試験測定機器の上記同期入力及び出力の少なくとも一方を用いて、上記第１試験測定機器の表示及び上記第２試験測定機器の表示の間で、上記測定ビュー及び上記１つ以上の構成パラメータを同期させるように上記第１試験測定機器の制御器が構成された概念３１のシステム。
（３３）上記試験測定機器の間で上記測定ビュー及び上記１つ以上の構成パラメータを同期させるように構成され、上記試験測定機器の外部の遠隔制御器を更に具える概念３０のシステム。
【図面の簡単な説明】
【０００８】
【図１】本発明の実施例による試験測定機器のブロック図であり、制御器、表示ユニット、入力回路及びユーザ制御インタフェースを含んでいる。
【図２】図１の試験測定機器のより詳細なブロック図である。
【図３】視覚的に４つの異なるタイルに分割された表示の配置を示す図であり、各タイルがビデオ信号に関連した測定ビューを夫々示している。
【図４】本発明の実施例によリ同期化ビュー付勢モード及び同期化ビュー減勢モードにおける図３の表示のビューを示す図である。
【図５】同期化ビュー付勢モード及び同期化ビュー減勢モードの例を示す図である。
【図６】表示の種々のタイルでのビデオ信号の波形表示測定ビューの例を示す図である。
【図７】表示の種々のタイルでのビデオ信号のベクトル及びライトニング表示測定ビューの例を示す図である。
【図８】表示の種々のタイルでのビデオ信号のピクチャ表示測定ビューの例を示す図である。
【図９】表示の種々のタイルでのビデオ信号のガマット表示測定ビューの例を示す図である。
【図１０】表示の種々のタイルでのビデオ信号の状態及びセッション表示測定ビューの例を示す図である。
【図１１】表示の種々のタイルでのビデオ信号のデータリスト及びタイミング表示測定ビューの例を示す図である。
【図１２】表示の種々のタイルでのビデオ信号のアイ及びジッタ表示測定ビューの例を示す図である。
【図１３】複数の試験測定機器の間で測定ビュー及び構成パラメータを同期させるために同期入力及び同期出力を有する試験測定機器のブロック図である。
【図１４】本発明の実施例により、複数のビデオ信号にわたって測定ビュー及び構成パラメータを同期させる動作を説明する流れ図である。
【発明を実施するための形態】
【０００９】
本発明の実施例は、複数の入力チャネルを有する試験測定機器の測定ビューを同期させる方法を含む。
【００１０】
複数の入力を有する単一の試験測定機器に対して、本発明の一実施例の方法では、試験測定機器の複数入力チャネルに関連した被試験信号を受け、１つの入力信号の測定ビューを選択し、ユーザ制御インタフェースからの同期化ビュー付勢（イネーブル）優先権（preference）を受け、１つ以上の他の信号の測定ビュー又は構成パラメータを、第１信号用に選択した測定ビュー又は構成パラメータに同期させる。なお、同期化ビュー付勢優先権とは、同期化ビューを可能にすることを優先的に行う指示である。
【００１１】
複数の試験測定機器のシステムに対して、本発明の一実施例の方法では、各試験測定機器の１つ又は複数の入力チャネルに関連した被試験信号を受け、装置の１つにおける１つ以上の測定ビューを選択し、ユーザ制御インタフェースから同期化ビュー付勢優先権を受け、他の装置の測定ビュー又は構成パラメータを第１装置用に選択した測定ビュー又は構成パラメータに同期させる。
【００１２】
本発明の方法では、試験測定機器の第１チャネルに関連した第１被試験信号を受け、試験測定機器の第２チャネルに関連した第２被試験信号を受け、第１チャネルに関連した第１信号のビューを選択し、ユーザ制御インタフェースからの同期化ビュー付勢優先権を受け、第１信号の測定ビューを第２信号に同期させてもよい。この方法は、また、ユーザ制御インタフェースを介して入力を受けて第１チャネルに関連した第１信号の１つ以上の構成パラメータを調整し、１つ以上の構成パラメータを第２チャネルに関連する第２信号に対して再現してもよい。また、この方法は、次の変化が動作パラメータに行われる時を含む所定期間にわたって測定ビュー及び／又は構成パラメータの同期を維持してもよい。
【００１３】
単一の試験測定機器の複数の入力にわたる測定ビュー及び構成パラメータを同期させるほかに、複数の試験測定機器にわたって測定ビュー及び構成パラメータを同期できる。この場合、本発明の一実施例の方法は、更に、第２試験測定機器の第１チャネルに関連した第３被試験信号を受け、第２試験測定機器の第２チャネルに関連した第４被試験信号を受け、第２試験測定機器の第１及び第２チャネルに夫々関連した第３及び第４信号の少なくとも１つに測定ビューを同期させる。
【００１４】
本発明の一実施例の試験測定機器は、入力信号を受ける複数の入力端子と、操作者からの入力を受けるユーザ制御インタフェースと、入力信号に関する測定情報を提供する表示器と、複数の入力の間で測定ビュー及び／又は構成パラメータを同期させる同期制御ユニットとを有する。
【００１５】
本発明のいくつかの実施例は、試験測定機器を含み、その試験測定機器は、第１チャネルに関連した第１ビデオ信号を受ける第１入力端子と、第２チャネルに関連する第２ビデオ信号を受ける第２入力端子とを有する。この試験測定機器は、入力を受けるように構成されたユーザ制御インタフェースと、第１及び第２ビデオ信号に関する測定情報を提供する表示器と、入力に夫々応答する第１及び第２チャネルの第１及び第２ビデオ信号の間で測定ビューを同期させる同期制御ユニットとを含んでもよい。
【００１６】
試験測定機器は、複数の入力信号を受ける２、４又は任意の数の入力を有することができる。測定ビュー及び／又は構成パラメータは、複数の入力又は複数の機器にわたって同期化できる。
【実施例】
【００１７】
ビデオ波形モニタの如き二重同時入力可能な試験測定機器は、２つ以上の入力を同時に且つ独立して独立のモニタ及び測定タスクを実行できる。本発明の実施例は、同時入力の特別モードを提供し、測定ビュー及び／又は構成パラメータを複数の信号及び入力チャネルにわたって同期させる。すなわち、各個別入力チャネル用の各測定ビューを個別の構成するのではなく、その結果、異なる入力信号にわたって一致した複数の構成パラメータにて、時間がかかりエラーの生じやすい試みを強いられるが、本発明の実施例は、１つの入力チャネルの調整を他の入力チャネルに同期化させることにより、異なるビデオ信号、オーディオ信号、時間コード信号、補助データ信号、又は他の電気信号の比較及び分析を大幅に簡略化する。
【００１８】
本発明の実施例は、試験測定機器を含んでもよい。試験測定機器は、波形モニタ、ベクトルスコープ又はオシロスコープ、その他の適切な測定機器でよい。本明細書では、波形モニタ及びその関連測定ビューについて特に説明するが、本発明の要旨は、これらに制限されず、種々の試験測定機器内で実施できることが理解できよう。
【００１９】
限定するためではないが簡潔にするために、試験測定機器は、ここでは一般的にビデオ波形モニタ、又は単に「波形モニタ」又は「ビデオ・モニタ」とする。さらに、波形モニタが受信する被試験入力信号は、ほとんどの場合、「入力ビデオ信号」又は単に「ビデオ信号」とするが、入力信号は、オーディオ、時間コード、補助データ、その他の電気信号、又はこれらの任意の組合せを含んでもよいことが理解できよう。波形モニタは、ここで説明する如く、種々の実施例で用いるのに適する複数のチャネル又は入力を含んでもよい。波形モニタは、単一の入力端子でもよいが、本発明の要旨は、２又は４入力、又は任意の数の入力を有する波形モニタにも等しく適用できる。
【００２０】
好ましくは、波形モニタは、２つ以上の入力端子を有して、複数の入力にわたって、測定ビュー及び構成パラメータを同期する。実際に、波形モニタは、４入力端子、又は４よりも多い入力端子を有し、試験測定機器の４以上のチャネルに夫々関連した４以上の被測定信号を受け、少なくとも１つの信号の測定ビューを少なくとも他の信号又はこれら信号の全てに対して同期させる。代わりに、波形モニタは、１つ以上の入力端子を有し、測定ビュー及び構成パラメータを複数の波形モニタにわたって同期化できる。
【００２１】
図１は、本発明の実施例による試験測定機器１０５のブロック図であり、一般には、波形モニタであり、制御器（制御回路）１２０、表示ユニット１３０、入力回路１１５及びユーザ制御インタフェース１４０を有する。１つ以上の入力端子１１０及び１１２は、入力回路１１５に機能的に結合されており、この入力回路１１５は、１つ以上の被試験信号を受けて処理するように構成されている。上述の如く、被試験信号は、ビデオ信号、オーディオ信号、又は他の形式の電気信号、若しくはこれらの任意の組合せでよい。表示ユニット１３０は、信号に関する測定又は分析情報を含む被試験信号を表示する表示器１３５を含んでいる。ユーザ制御インタフェース１４０は、操作者からの入力、例えば、測定ビュー及び／又は構成パラメータを選択するコマンドを受ける。さらに、操作者は、測定ビュー及び／又は構成パラメータの調整を指示できる。ユーザ制御インタフェース１４０は、制御器１２０のモニタ中央制御ユニット１２７に入力を伝送し、この制御ユニット１２７は、入力を処理し、波形モニタの他のコンポーネントを制御する。
【００２２】
制御器１２０は、同期制御ユニット１２５を含んでおり、この同期制御ユニット１２５は、複数ビデオ入力チャネル用の同期化測定ビュー及び構成パラメータをエンゲージ（起動）し維持する。同期化ビューが付勢（イネーブル）されないと（即ち、各タイルの設定が独立に設定できる従来モードにて）、同期制御ユニット１２５は、基本的に「透明」（作用しない）であり、波形モニタの制御及び測定データを調整又は変調しない。ユーザ制御インタフェース１４０から同期化ビュー付勢優先権（preference）を受けて同期化ビューがエンゲージされると、同期制御ユニット１２５は、入力チャネルの間で測定ビューを同期化し、ある入力チャネルから他の入力チャネルへの任意の制御を再現（replicate）することによって同期を維持できる。同期制御ユニット１２５のこれら及び他の概念は、図を参照して以下に詳述する。
【００２３】
波形モニタ１０５のコンポーネントは、用途限定集積回路（ＡＳＩＣ）、フィールド・プログラマブル・ゲート・アレイ（ＦＰＧＡ）、デジタル信号プロセッサ（ＤＳＰ）、揮発性メモリ、不揮発性メモリ、マイクロプロセッサの如きハードウェア、及び／又は、上述のハードウェアと共に動作するように構成された発生プログラム又はコード、ファームウェア又はこれらの組合せの如きソフトウェアにより実現して実施できる。
【００２４】
図２は、図１の試験測定機器１０５のより詳細なブロック図である。フロント・エンド処理ユニット２０５及び２０７は、入力端子１１０及び１１２に夫々結合されており、これら入力端子に受けたビデオ信号の第１段処理を行う。入力端子１１０及び１１２は、波形モニタ１０５の「チャネル」に関連する。ここでは、チャネルは、一般に、一連のハードウェア又はソフトウェアのコンポーネントであり、これらコンポーネントは、ビデオ信号の如き所定の被試験信号を受け、処理し、蓄積及び／又は表示する。中央処理及び測定ユニット２１０及び２１２は、対応するビデオ信号を処理し、エラー検出も実行する。測定タイル表示器２２０及び２２５は、中央処理及び測定ユニット２１０及び２１２からの入力信号を夫々受け、各信号をラスタ化し、表示器１３５のタイル１、２、３又は４に表示する。測定タイル表示器２２０及び２２５は、フィルタ・レベル、利得、位置、大きさ、又は他の適切な設定の如き構成パラメータ及び特定のビデオ選択により、ビデオ信号を処理する。
【００２５】
モニタ中央制御ユニット１２７は、ユーザ制御インタフェース１４０を介して波形モニタ１０５の操作者をインタフェースする。このユーザ制御インタフェース１４０は、適切なインタフェースの中でフロント・パネル、タッチ・スクリーン及び／又は遠隔ユーザ・インタフェースを含むことができる。ユーザ制御インタフェース１４０は、表示器１３５と関連する。
【００２６】
モニタ中央制御ユニット１２７にて、フロント・エンド処理ユニット２０５／２０７、中央処理及び測定ユニット２１０／２１２及び測定タイル表示器２２０／２２５の如き他の任意のコンポーネントから測定データ２５５を受ける。モニタ中央制御ユニット１２７は、フロント・エンド処理ユニット２０５／２０７、中央処理及び測定ユニット２１０／２１２及び測定タイル表示器２２０／２２５の如き波形モニタ１０５のコンポーネントの動作内容を制御する。
【００２７】
表示器１３５を含む表示ユニット１３０は、ビデオ信号に関する測定情報又は他の視覚結果を波形モニタ１０５の操作者に提供する。表示器１３５をタイル１、２、３及び４の如き分離したタイルに視覚的に分割できる。各タイルは、チャネルの１つに関連したビデオ信号の１つを夫々表示するように構成されている。代わりに、単一のタイル内に同時に複数の入力信号を表示するようにもできる。
【００２８】
操作者が同期ビュー付勢優先権２６０を選択すると、同期制御ユニット１２５は、割り込みを行い、フロント・エンド処理ユニット２０５／２０７、中央処理及び測定ユニット２１０／２１２及び測定タイル表示器２２０／２２５の如き波形モニタ１０５の他のコンポーネントに制御情報２５０を同期させる。そうでなければ、操作者が同期ビュー減勢（ディスエーブル：付勢の反対）優先権２７０を選択すると、同期制御ユニット１２５が波形モニタの制御及び測定データを調整又は変調しない。なお、同期化ビュー減勢優先権とは、同期化ビューを可能にしないことを優先的に行う指示である。
【００２９】
波形モニタ１０５の操作者は、電圧対時間表示を分析するための波形測定ビュー２８０、クロミナンス情報をプロットするためのベクトル測定ビュー２８２、ビデオ・コンテンツの直接視覚を提供するためのピクチャ測定ビュー２８４、リーガル色空間を視覚化するためのガマット測定ビュー２８６、入力ビデオ信号に関する特定の状態及び統計値の報告及びサマリを含むテキスト情報を提供するための状態及びセッション測定ビュー２８８、ビデオ信号のデジタル内容の部分を示しビデオ信号のデジタル内容を記述する文字数字データを含むデータリスト測定ビュー２９０、ビデオ信号の物理的伝送の電圧対時間のプロットを含むアイ及びジッタ測定ビュー２９２などの適切な測定ビューの如き種々の同期測定ビューから選択を行える。
【００３０】
図３は、従来モード又は非同期モードにて４つの異なるタイル１、２、３及び４に視覚的に分割された表示器１３５の簡略化した図を示す。ここで、各タイルは、ビデオ信号に関連した測定ビュー３０５、３１０、３１５及び３２０を表示する。一般に、これらタイルは、寸法的に等しく配置されており、各タイルは、利用可能な入力信号及びチャネルの１つに関連する。操作者は、測定ビューを各入力信号及びチャネル用の各タイルに割り当てる。２つの異なる測定ビューにて、１つの入力信号を示すことができる。例えば、チャネル１に関連する入力信号を波形測定ビュー３０５及びピクチャ測定ビュー３１５にて同時に分析できる一方、チャネル２をベクトル測定ビュー３１０及びピクチャ測定ビュー３２０に表示する。各表示タイル用の異なる構成パラメータを各表示タイル用に調整できる。状態パネル３２５及び３３０は、チャネル１及び２に関する、又は波形モニタ１０５に関する状態又は他の記述情報を表示できる。
【００３１】
図４は、本発明の実施例による同期化ビュー付勢モード２６０及び同期化ビュー減勢モード２７０での図３の表示１３５の簡略化した図である。図５も、同期化ビュー付勢モード２６０及び同期化ビュー減勢モード２７０の例を示す。これら図４及び図５を参照して、説明を続ける。
【００３２】
従来モードにおいて、又は、波形モニタの操作者からの同期化ビュー減勢優先権２７０を受けた後に、タイル１、２、３及び４は、基本的には互いに独立して動作する。異なったものとしては、操作者は、タイル１のチャネル１用の波形測定ビュー３０５、タイル２のチャネル２用のベクトル測定ビュー、タイル３のチャネル１用のピクチャ測定ビュー、タイル４のチャネル２用のガマット（例えば、アロウヘッド）測定ビュー４２０の如き表示器１３５のタイルの各々に同時に異なる測定ビューの１つずつを割り当てる。第１ビデオ信号がチャネル１に関連し、第２ビデオ信号がチャネル２に関連する。操作者は、典型的には、従来モードにて一度に１つだけ個別に各タイル用の構成パラメータを調整する。
【００３３】
ユーザ制御インタフェースを介して操作者から同期化ビュー付勢優先権２６０を受けると、例えば、操作者が同期ボタンを押すと、同期制御ユニット１２５（図１及び２）は、１チャネルの測定ビューを他のチャネルにエンゲージし同期化する。チャネルの１つをテンプレートとして用いて、１つ以上の他のチャネルを設定する。例えば、１つの入力信号（チャネル２に関連）他の入力信号（チャネル１に関連）に同期できる。別に言えば、波形測定ビュー３０５がビデオ入力１ならば、同じ波形測定ビュー４０５をビデオ入力２用に構成し表示する。すなわち、タイル１及び２が同期する。さらに、ビデオ入力１に割り当てた構成パラメータの一部又は全てを自動的にビデオ入力２に割り当てる、即ち、再現する。たとえば、フィールド１のライン２１がライン選択されるようにビデオ入力１が構成されていると、同期ビューが付勢されていると、ビデオ入力２はフィールド１のライン２１がライン選択されるように自動的に構成される。他の例において、ピクチャ測定ビュー３１５がチャネル１でのクローズ捕捉デコード及び表示のビデオ入力１であると、ビデオ入力２は、同様にチャネル１のクローズ捕捉デコード及び表示のピクチャ測定ビュー４１５に自動的に割り当てられる。この場合、タイル３及び４の測定ビュー及び構成パラメータを同期させる。よって、同期化ビューが付勢されたか減勢されたかに基づいて、複数チャネルの間で測定ビュー及び／又は構成パラメータが再現される。
【００３４】
操作者から同期化ビュー付勢優先権２６０を受けて同期化がエンゲージされると、１つの入力信号／チャネルの測定ビュー及び構成パラメータが他の入力信号／チャネルに同期化（即ち、再現）される。ユーザ制御インタフェースを介して操作者が指定した任意の追加構成パラメータを再現することにより、同期化モードを維持する。例えば、ＥＡＶ／ＳＡＶ／ＡＮＣ（即ち、アクティブ・ビデオの終わり、アクティブ・ビデオの開始、補助データ）を分解するようにビデオ入力１が続いて構成されていると、入力２用のＥＡＶ／ＳＡＶ／ＡＮＣも分解される。同様に、いくつかの実施例において、チャネル１の全ての他のモニタ・チャネルの特定設定をチャネル２に再現する。
【００３５】
図４及び５に示すように、測定ビューをチャネル１（表示器１３５の左側に配置されたタイル）からチャネル２（標記１３５の右側に配置されたタイル）に反映させる。同期モードにおいて、タイル１の波形測定ビュー３０５をタイル２の波形測定ビュー４０５として割り当てるか、再現する。波形モード、掃引、カラー・コンポーネント、フィルタ、位置、利得、大きさ、位置、カーソル、ライン選択などの入力１のタイル１波形表示用の構成パラメータを、入力２のタイル２波形表示用に再現、即ち、クローン化する。同様に、タイル４のピクチャ測定ビュー４１５を、クローズ捕捉（ＣＣ）チャネル、安全領域、ライン選択などの構成パラメータの一部又は全てと共に、タイル３のピクチャ測定ビュー３１５によりクローン化する。
【００３６】
上述の如く、１つの入力、１つのチャネル又は測定ビュー用の構成パラメータの調整を他の入力、チャネル又は測定ビューに再現して、同期モードを維持する。他の例として、入力１のタイル１の波形でのラインからフィールドへの掃引変更は、入力２のタイル２での波形をフィールド掃引レートに設定する。更に他の例において、カーソルを複数タイルの間でリンクして、ポインティング・デバイス又は方向パッドによって１タイルでカーソルを移動させると、他のタイルでも同様な方法でカーソルが移動する。同様に、１つのタイル内のカーソルを他のタイル内のカーソルから位置的にオフセットできるが、そうでなければ同期させて、１タイル内の１カーソルへの動きにより、他のタイル内の他のオフセット・カーソルが相対的に、即ち、「ロック・ステップ」形式で移動できる。
【００３７】
時間及び空間の両方で、同期を行える。時間に基づく同期の例は、ログ・セッションであり、同期化方法での時間の特定瞬間にてリセットできる。例えば、エラー・ログが１チャネルでリセットされると、他のチャネル用のエラー・ログが同様に同時にリセットされて、ログの期間が同期され同時に開始する。これにより、操作者は、両方のチャネル用のログ・ファイル内の特定ノイズ値にて生じた特定のイベントを検索できる。他の時間に基づく同期には、例えば、ビデオ信号のアイ及びジッタ測定ビューの時間にわたり「無限」累積の如きヒストグラムの累積が含まれる。さらに別の実施例では、オーディオ・セッションは、異なるチャネルにわたって同期化できる。
【００３８】
空間に基づく同期の例には、波形又はベクトル測定ビューの如きビデオ信号の測定ビューを反映することと、ビデオ信号自体の位置及び物理的特性を分析することが含まれる。これにより、操作者は、データの単一ビットによってでも、２つの異なる入力信号が互いに異なることを識別できる。空間に基づく同期の他の例は、「ページ・ダウン」又は「ページ・アップ」構成パラメータであり、これにより、１大雨に表示された文字数字又はデジタル情報を、他のタイルに表示された同様な文字数字又はデジタル情報を空間的に「ロック」できる。すなわち、情報のグラフ・ビューを種々のチャネルの間で調整できる。利得、位置、ライン選択などの他の構成パラメータも同期化できる。
【００３９】
複数のタイルの配列と、複数タイルの間の同期化は、図示した特定配置に限定されないことが理解できよう。すなわち、タイルの任意の配列及びタイルの同期グループ化を実現できる。例えば、いくつの実施例において、タイルとタイルを対にすることを定義して、１つのタイル内での変化が対の他のタイルに再現される。代わりに、タイルのグループを互いにリンクして、１つのタイルの変化をグループ内の他の全てのタイルにて再現する。さらに他の実施例において、複数のタイルを互いにリンクするので、任意のタイルでの変化が全ての他のタイルに再現される。
【００４０】
同じビデオ・フォーマットの複数入力に対して同期モードが有用であるが、本発明の実施例は、異なるフォーマットも含む。例えば、アップ変換施設において、本明細書で開示した実施例により、標準分解能（ＳＤ）ビデオ信号及び高分解能（ＨＤ）ビデオ信号を同時に表示し同期できる。このシナリオにおいて、追加の処理を異なるビデオ・フォーマットに適用できる。例えば、ライン選択モードにおいて、ラインをラスタの同じ位置にマッピングして、同じピクチャ要素を各フォーマットで示す。ＳＤ及びＨＤフォーマットの間の１つ以上の構成パラメータを再現することは、カーソルを垂直又は水平に移動する際などに、ＳＤビデオ信号及びＨＤビデオ信号の間で百分率差に基づく調整を含むことができる。いくつかの構成パラメータは、フォーマット選択又は警告の如く同期化しないように特別に選択できる。種々のビデオ・フォーマットの間で同期化されないいくつかのカテゴリ又は構成パラメータを操作者が個別に選択できる。種々の分解能及び表示レートなどを有する３Ｇｂ、デジタル・シネマ又はグラフィック・フォーマットの如き他の適切なフォーマットを用いることができる。
【００４１】
３次元テレビジョン（３Ｄ−ＴＶ）は、立体イメージ対を観察者に投影する。１つのビデオ・コンポーネントが左目用であり、他のビデオ・コンポーネントが右目用である。ここで説明した本発明の実施例は、３Ｄ−ＴＶビデオ信号の第１コンポーネントを含む第１信号と、３Ｄ−ＴＶビデオ信号の第２コンポーネントを含む第２信号とを同時に分析し比較するのに有用である。３Ｄ−ＴＶ
ビデオ信号のコンポーネントの測定ビュー及び構成パラメータを同期化できるので、３Ｄ−ＴＶ信号の効果的な比較及び分析を容易にできる。
【００４２】
いくつかの実施例において、１チャネルが外部基準信号に関連すると、同期した他のチャネルは、同じ外部基準信号に自動的に関連できる。
【００４３】
タイル１，２，３又は４の任意の１つを拡大して、タイルが表示器１３５を満たす一方、複数タイルの間で測定ビュー及び構成パラメータの同期を維持する。
【００４４】
操作者が「同期オフ」ボタンの選択により又はポインタ選択によって、同期ビュー減勢優先権２７０を指示すると、同期モードが非エンゲージとなり、動作が従来モードに戻り、各タイルでの設定を独立に変更できる。
【００４５】
図６は、同期ビュー・モードにおける表示器１３５の種々のタイルにおけるビデオ信号の波形表示測定ビューを示す実施例の図である。波形表示測定ビューは、ビデオ信号の電圧対時間の表示を与える。この測定ビュー用の構成パラメータは、例えば、波形位置、表示スタイル、フィルタ・パラメータ、ライン選択、掃引パラメータ、利得パラメータ、電圧カーソル、時間カーソルなどの適切な設定を含む。電圧及び時間カーソルを用いて、複数の波形特性の間の電圧／時間を測定できる。この実施例において、上側の２つのタイルにて２つの異なるビデオ入力信号を並べて波形測定ビューのＹＰｂＰｒの項目を表示し、下側の２つタイルにて２つの異なるビデオ入力信号を並べて波形測定ビューのＳＤＩ−＞コンポジットの項目を表示する。
【００４６】
図７は、同期ビュー・モードでの表示器１３５の種々のタイル内のビデオ信号のベクトル及びライトニング表示測定ビューを示す実施例の図である。ベクトル表示又はライトニング表示は、ルミナンス及び／又はクロミナンス情報をプロットする技術を提供する。この測定ビュー用の構成パラメータは、例えば、ライン選択、利得パラメータ、表示スタイル、ベクトル位置制御などの適切な設定を含む。この実施例において、２つの異なるビデオ入力信号が並んで測定ビューのベクトルの項目を表示する。また、２つの異なるビデオ入力信号を並べて測定ビューのライトニングの項目を表示する。
【００４７】
図８は、同期ビュー・モードにおける表示器１３５の種々のタイルでのビデオ信号のピクチャ表示測定ビューを示す実施例の図である。ピクチャ測定ビューは、ビデオ内容の直接的な視覚を提供する。この測定ビュー用の構成パラメータは、例えば、クローズ捕捉表示パラメータ及び安全領域目盛りパラメータなどの適切な設定を含む。この実施例において、２つの異なるビデオ入力信号を並べて、安全領域目盛りを表示し、２つの異なるビデオ入力信号を並べて、クローズ捕捉モニタを表示できる。
【００４８】
図９は、同期ビュー・モードにおける表示１３５の種々にタイルでのビデオ信号のガマット表示測定ビューを示す実施例の図である。ガマット表示測定ビューは、アロウヘッド、ダイヤモンド、スプリット・ダイヤモンド及びスピアヘッド（spearhead）の如き種々の測定表示を含む。これらを用いて、「リーガル」色空間を分析する。この測定ビュー用の構成パラメータは、例えば、しきい値などの適切な設定である。この実施例において、上部のタイルに並んで２つの異なるビデオ入力信号用のアロウヘッド表示が配置され、下部のタイルに２つの異なるビデオ入力信号が並んでダイヤモンド表示が配置される。
【００４９】
図１０は、同期ビュー・モードにおける表示１３５の種々のタイルでのビデオ信号の状態及びセッション表示測定ビューを示す実施例の図である。状態及びセッション測定ビューは、文字数字情報を含んでおり、これは、例えば、エラー・ログ、警報状態、ビデオ・セッション、オーディオ・セッション、オーディオ制御、チャネル状態、補助データ状態、シリアル・デジタル・インタフェース（ＳＤＩ）状態、補助データ表示などの適切な情報を表す。この測定ビュー用の構成パラメータは、例えば、状態制御、ポーズ制御、ストップ制御、リセット制御、ページ選択などの適切な設定を含んでいる。この実施例において、上部のタイルにて２つの異なるビデオ入力信号が並んでビデオ・セッションが表示され、底部のタイルにて２つの異なるビデオ入力信号が並んでエラー・ログが表示される。
【００５０】
図１１は、同期ビュー・モードにおける表示１３５の種々のタイルでのビデオ信号のデータリスト及びタイミング表示測定ビューを示す実施例の図である。データリスト及びタイミング表示測定表示ビューは、ビデオ信号のデジタル内容を示し、ビデオ信号のデジタル内容を記述する文字数字データを含んでいる。この測定ビュー用の構成パラメータは、例えば、ライン選択、サンプル選択、ズーム制御などの適切な設定を含んでいる。この実施例において、上部のタイルにて２つの異なるビデオ入力信号を並べてデータリスト表示を表示し、下部のタイルにて２つの異なるビデオ入力信号を並べて対基準表示を表示して、外部基準に対する２つのビデオ信号のタイミング差を示す。タイミング基準表示により、操作者は、外部基準又は他のビデオ入力に対するビデオ信号タイミングを測定できる。タイミング基準表示用の構成パラメータは、例えば、基準信号源及びオフセット選択を含む。
【００５１】
図１２は、同期ビュー・モードにおける表示１３５の種々のタイルでのビデオ信号のアイ及びジッタ表示測定ビューを示す実施例の図である。このアイ及びジッタ表示測定ビューは、ビデオ信号の物理的伝送の電圧又はジッタ対時間のプロットである。構成パラメータは、例えば、利得パラメータ、掃引パラメータ、ハイパス・フィルタ・パラメータ、電圧カーソル、時間カーソルなどの適切な設定を含む。この実施例において、２つの異なるビデオ入力信号を並べてアイ表示を表示し、２つの異なるビデオ入力信号を並べてジッタ表示を表示する。
【００５２】
図１３は、本発明の実施例により、同期入力（ポート）１３６及び同期出力（ポート）１３６を有する複数の試験測定機器１０５、１０７及び１０９のブロック図であり、異なる試験測定機器の測定ビュー及び構成パラメータを同期させている。複数の装置からの複数の表示が含まれることを除いて、上述に類似の技術を用いて、１０５、１０７及び／又は１０９の如き２つ以上の波形モニタを同期できる。すなわち、例えば、１つの波形モニタの同期出力１３６から他の波形モニタの同期入力１３６に伝送された同期信号を用いて、波形モニタ１０５、１０７及び／又は１０９の間で測定ビュー及び構成パラメータを同期できる。
【００５３】
いくつかの実施例において、各波形モニタからの各タイル１が同期して同じ測定ビュー及び構成パラメータを有し、各波形モニタからの各タイル２が同じ方法で同期して、以下、同様である。代わりに、異なる波形モニタからのタイルが独立に構成された測定ビューを有し、同期ビュー・モードにて再現された１つ以上の構成パラメータを有することができる。他の実施例において、異なる波形モニタからのタイルは、独立に選択された構成パラメータを有し、同期した測定ビューを有することができる。
【００５４】
複数の波形モニタの間の同期は、１つ以上の波形モニタのユーザ制御インタフェースを介して受けた操作者入力に応答してエンゲージされる。代わりに、遠隔制御又はインタフェース１３００を用いて、波形モニタの同期を構成及びエンゲージ、維持、又は非エンゲージできる。
【００５５】
図１４は、本発明の実施例により、多数のビデオ信号にわたって測定ビュー及び構成パラメータを同期させる技術を説明する流れ図である。ステップ１０００にて、波形モニタの第１チャネルに関連する第１被測定信号を受ける。ステップ１００５にて、波形モニタの第２チャネルに関連する第２被測定信号を受ける。この流れ図のステップの配置は、図示の順序に実行する必要はなく、実際に、ステップ１０００及び１００５にて被試験信号を受けるように、いくつかのステップを同時に実行できることが理解できよう。
【００５６】
ステップ１０１０での動作は、第１チャネルに関連した第１信号の測定ビューを選択する。ステップ１０１５にて、例えば、ユーザ制御インタフェースを介して操作者から同期化ビュー付勢優先権を受けたかの判断を行う。同期化ビュー・モードが選択されていないことを意味するノーの場合、処理は、Ａを介して進み、第１及び第２被試験信号を受けることを続ける。同期化ビュー・モードが選択されていることを意味するイエスの場合、処理は、ステップ１０２０に進み、第１信号の測定ビューが第２信号に同期される。次に、ステップ１０２５にて、第１チャネルに関連した第１信号の１つ以上の構成パラメータを調整するために、ユーザ制御インタフェースを介して入力を受けたかの判断を行う。イエスの場合、処理は、ステップ１０３０に進み、第２チャネルに関連する第２信号に対して１つ以上の構成パラメータを再現する。被試験信号は、ステップ１０３５にて、比較され分析されて、Ａに進む。ノーの場合、処理は、Ａに進み、引き続き第１及び第２被試験信号を受ける。
【００５７】
ここで説明したいくつかの実施例は、複数のビデオ入力に対して同じ測定及び表示を確実且つ瞬時に行える。これは、複数のビデオ信号に対する容易且つ効果的な比較を行える一方、従来技術のエラーを受け易いという点を避けられる。さらに、ここで説明した実施例の装置及び方法は、構成が容易な比較モードを用いて、複数のビデオ入力信号を測定し観察できる。また、ここで説明した実施例は、ビデオ信号比較に必要な装置及び時間を低減でき、測定結果及び表示比較の信頼性を改善する。
【００５８】
特定実施例について説明したが、本発明の要旨がこれら実施例に限定されないことが明らかであろう。いくつかの実施例において、第１被試験信号は、標準分解能ビデオ信号であり、第２被試験信号は、高分解能ビデオ信号であり、測定ビューの同期化は、第１信号の測定ビュー及び１つ以上の構成パラメータを第２信号に再現することを含む。１つ以上の構成パラメータを再現することは、標準分解能ビデオ信号及び高分解能ビデオ信号の間の百分率差に基づいて構成パラメータを調整することを含む。いくつかの実施例において、第１信号は、３次元ビデオ信号の第１コンポーネントであり、第２信号は、３次元ビデオ信号の第２コンポーネントであり、測定ビューの同期化は、３次元ビデオ信号の第１コンポーネントの測定ビュー及び１つ以上の構成パラメータを３次元ビデオ信号の第２コンポーネントに再現することを含む。
【００５９】
本発明のいくつかの実施例において、実施例の方法は、少なくとも１つの同期化ビュー付勢優先権及びユーザ制御インタフェースからの同期化ビュー減勢優先権を受ける。測定ビューの同期化は、同期化ビュー付勢優先権及び同期化ビュー減勢優先権の少なくとも一方に基づいて第１信号の測定ビューを第２信号に再現することを含む。
【００６０】
いくつかの実施例において、本発明による方法は、試験測定機器の表示器の第１タイル内に第１測定ビューで第１信号を表示し、試験測定機器の表示器の第２タイル内に第２測定ビューで第２信号を表示する。そして、ユーザ制御インタフェースから同期化ビュー付勢優先権を受けた後に、同期化ビュー付勢優先権に応答して第２タイル内の第２測定ビューを第１測定ビューに交換する。
【００６１】
いくつかの実施例において、複数の試験測定機器にわたって、測定ビュー及び／又は構成パラメータを同期させる。このように、各試験測定機器の表示器が２つ以上のタイルを含む必要はないが、むしろ、測定ビューは、各試験測定機器の個別の表示器にわたって同期される。さらに、試験測定機器の各々は、単一チャネルに関連した単一入力端子を有し、各試験測定機器の個別のチャネルにわたって測定ビュー及び構成パラメータを同期できる。
【００６２】
いくつかの実施例において、本発明による方法は、複数のタイルの１つをエンゲージして、そのタイルを表示で埋める一方、複数タイル間で測定ビューの同期を維持する。
【００６３】
いくつかの実施例において、本発明による方法は、試験測定機器の表示器の第１タイル内の第１測定ビューにより第１信号を表示し、試験測定機器の表示器の第２タイル内の第２測定ビューにより第２信号を表示し、試験測定機器の表示器の第３タイル内の第３測定ビューにより第１信号を表示し、試験測定機器の表示器の第４タイル内の第４測定ビューにより第２信号を表示する。ユーザ制御インタフェースから同期化ビュー付勢優先権を受けた後、この同期化ビュー付勢優先権に応じて、第１測定ビューを表示器の第２タイル内の第２信号に再現することにより、表示器の第１及び第２タイルを同期させる。同様に、同期化ビュー付勢優先権に応答して、第３測定ビューを表示器の第４タイル内の第２信号に再現することにより、表示器の第３及び第４タイルを同期させる。
【００６４】
いくつかの実施例において、本発明による方法は、第２試験測定機器の第１チャネルに関連する第３被測定信号を受け、第２試験測定機器の第２チャネルに関連する第４被測定信号を受け、第２試験測定機器の第１及び第２チャネルに夫々関連する第３及び第４信号の少なくとも１つと測定ビューを同期させる。
【００６５】
いくつかの実施例において、本発明による試験測定機器は、第１チャネルに関連した第１ビデオ信号を受ける第１入力端子と、第２チャネルに関連した第２ビデオ信号を受ける第２入力端子と、入力を受けるように構成されたユーザ制御インタフェースと、第１及び第２ビデオ信号に関する測定情報を提供する表示器と、入力に応答して第１及び第２チャネルの第１及び第２ビデオ信号の間で測定ビューを同期させる同期制御ユニットとを有する。
【００６６】
いくつかの実施例において、表示器は、少なくとも２つのタイルに視覚的に分割されている。各タイルは、チャネルの１つに関連したビデオ信号の１つを夫々表示するように構成されている。少なくとも２つのタイルの間で測定ビューを同期させるように同期制御ユニットが構成されている。
【００６７】
いくつかの実施例において、ユーザ制御インタフェースを介して受ける入力は、同期化ビュー付勢優先権を含み、同期化制御ユニットは、同期化ビュー付勢優先権に応答して少なくとも２つのタイルの間で測定ビューを同期化するように構成されている。同期化制御ユニットにより、第１及び第２チャネルの両方に対して所定期間にわたるデータの同期化累積が可能となる。
【００６８】
いくつかの実施例において、測定ビューは、波形表示モードである。１つ以上の構成パラメータは、波形位置、表示スタイル、フィルタ・パラメータ、ライン選択、掃引パラメータ、利得パラメータ、電圧カーソル及び時間カーソルの少なくとも１つを含む。同期制御ユニットは、表示器の少なくとも２つのタイルの間で波形表示モード及び１つ以上の構成パラメータを同期させるように構成されている。
【００６９】
いくつかの実施例において、測定ビューは、ベクトル表示モードである。１つ以上の構成パラメータは、ライン選択、利得パラメータ、表示スタイル及びベクトル位置制御の少なくとも１つを含んでいる。同期制御ユニットは、表示器の少なくとも２つのタイルの間でベクトル表示モード及び１つ以上の構成パラメータを同期させるように構成されている。
【００７０】
いくつかの実施例において、測定ビューは、ピクチャ表示モードである。１つ以上の構成パラメータは、クローズ捕捉表示パラメータ及び目盛りパラメータの少なくとも１つを含む。同期制御ユニットは、表示の少なくとも２つのタイルの間でピクチャ表示モード及び１つ以上の構成パラメータを同期させるように構成されている。目盛りパラメータは、安全領域パラメータを含む。
【００７１】
いくつかの実施例において、測定ビューは、アロウヘッド、ダイヤモンド、スプリット・ダイヤモンド及びスペアヘッドの少なくとも１つを含むガマット表示ビューである。１つ以上の構成パラメータは、少なくとも１つのしきい値を含んでいる。同期制御ユニットは、表示器の少なくとも２つのタイルの間でガマット表示モード及び１つ以上の構成パラメータを同期させるように構成されている。
【００７２】
いくつかの実施例において、測定ビューは、エラー・ログ、警報状態、ビデオ・セッション、オーディオ・セッション、オーディオ制御、チャネル状態、補助データ状態、シリアル・デジタル・インタフェース（ＳＤＩ）状態及び補助データ表示の少なくとも１つを含むテキスト情報を含む状態及びセッション表示ビューである。１つ以上の構成パラメータは、開始制御、停止制御、リセット制御及びページ選択の少なくとも１つを含んでいる。同期制御ユニットは、表示器の少なくとも２つのタイルの間で状態及びセッション表示モード及び１つ以上の構成パラメータを同期させるように構成されている。
【００７３】
いくつかの実施例において、測定ビューは、第１及び第２ビデオ信号のデジタル内容を記述する文字数字データを含むデータリスト表示ビューである。１つ以上の構成パラメータは、ライン選択、サンプル選択及びズーム制御の少なくとも１つを含んでいる。同期制御ユニットは、表示器の少なくとも２つのタイルの間でデータリスト表示モード及び１つ以上の構成パラメータを同期させるように構成されている。
【００７４】
いくつかの実施例において、測定ビューは、第１及び第２ビデオ信号の少なくとも１つの伝送の電圧又はジッタ対時間のプロットを含むアイ及びジッタ表示ビューである。１つ以上の構成パラメータは、利得パラメータ、掃引パラメータ、電圧カーソル、ハイパス・フィルタ・パラメータ及び時間カーソルの少なくとも１つを含んでいる。同期制御ユニットは、表示器の少なくとも２つのタイルの間でアイ及びジッタ表示モード及び１つ以上の構成パラメータを同期させるように構成されている。
【００７５】
いくつかの実施例において、試験測定機器は、オプションとして少なくとも２つのタイルに視覚的に分割される表示器及び制御器を含んでいる。ビデオ信号を試験測定機器に提供して、ビデオ信号の測定項目をタイル内に表示する。制御器は、表示器の少なくとも２つのタイルの間で測定ビュー及び１つ以上の構成パラメータを同期させる。このシステムは、制御器及び表示器を有する第２試験測定機器を含んでおり、オプションとして表示器が少なくとも２つのタイルに視覚的に分割される。第１及び第２試験測定機器の各々は、同期入力及び／又は同期出力を含む。
【００７６】
いくつかの実施例において、第１試験測定機器の同期出力から第２試験測定機器の同期入力に伝送された同期信号を用いて、第１試験測定機器及び第２試験測定機器の間で測定ビュー及び１つ以上の構成パラメータを同期させるように、第１試験測定機器の制御器が構成されている。
【００７７】
いくつかの実施例において、各試験測定機器の同期入力及び出力の少なくとも１つを用いて、第１試験測定機器の１つのタイルと第２試験測定機器の他のタイルとの間で測定ビュー及び１つ以上の構成パラメータを同期させるように、第１試験測定機器の制御器が構成されている。
【００７８】
いくつかの実施例において、試験測定機器の外部の遠隔制御器は、複数の試験測定機器の間で入力及び出力を同期させる。
【００７９】
本発明の要旨を逸脱することなくその他の種々の変形及び変更が可能なことが理解できよう。
【符号の説明】
【００８０】
１０５  試験測定機器
１１０、１１２  入力端子
１１５  入力回路
１２０  制御回路
１２５  同期制御ユニット
１２７  モニタ中央制御ユニット
１３０  表示ユニット
１３５  表示器
１４０  ユーザ制御インタフェース
２０５、２０７  フロント・エンド処理ユニット
２１０、２１２  中央処理及び測定ユニット
２２０、２２５  測定タイル表示器
２５０  制御情報
２５５  データ
【図１】
0005896617.tif 000002
【図２】
0005896617.tif 000003
【図６】
0005896617.tif 000004
【図７】
0005896617.tif 000005
【図１０】
0005896617.tif 000006
【図１１】
0005896617.tif 000007
【図１３】
0005896617.tif 000008
【図１４】
0005896617.tif 000009
【図３】
0005896617.tif 000010
【図４】
0005896617.tif 000011
【図５】
0005896617.tif 000012
【図８】
0005896617.tif 000013
【図９】
0005896617.tif 000014
【図１２】
0005896617.tif 000015